(57)【要約】【課題】ガラス管の破損を防止することができる棒状ランプおよび熱処理装置を提供する。【解決手段】半導体ウェハーを収容するチャンバーの下方に、複数のハロゲンランプＨＬが上下２段に格子状に交差するように配設される。複数のハロゲンランプＨＬが上下で重なり合う部位については、ハロゲンランプＨＬのガラス管４８の上側および下側の外壁面を開放するようにリフレクタ４７が設けられる。複数のハロゲンランプＨＬが上下で重なり合う部位では、下段のハロゲンランプＨＬから上側に向けて出射された光は、上段のハロゲンランプＨＬのガラス管４８の下側および上側の外壁面の開放部分を透過してさらに上方へと向かうため、下段のハロゲンランプＨＬのガラス管４８内に再入射することは防がれ、ガラス管４８の破損を防止することができる。【選択図】図１１
2018186122.tif 000002
【特許請求の範囲】
【請求項１】
基板を加熱する棒状ランプであって、
円筒形状のガラス管と、
前記ガラス管の外壁面に設けられたリフレクタと、
を備え、
前記リフレクタは、前記ガラス管の径方向の一方側および前記一方側とは反対の他方側の前記外壁面を開放するように設けられることを特徴とする棒状ランプ。
【請求項２】
請求項１記載の棒状ランプにおいて、
前記リフレクタは、前記ガラス管の上側および下側の前記外壁面を開放するように設けられることを特徴とする棒状ランプ。
【請求項３】
基板に光を照射することによって該基板を加熱する熱処理装置であって、
基板を収容するチャンバーと、
前記チャンバー内にて前記基板を保持する保持部と、
前記保持部に保持された前記基板に光を照射する請求項１または請求項２記載の棒状ランプと、
を備えることを特徴とする熱処理装置。
【請求項４】
基板に光を照射することによって該基板を加熱する熱処理装置であって、
基板を収容するチャンバーと、
前記チャンバー内にて前記基板を保持する保持部と、
前記チャンバーの上方または下方に設けられ、前記保持部に保持された前記基板に光を照射する複数の棒状ランプと、
を備え、
前記複数の棒状ランプは、上下２段に格子状に配設され、
前記複数の棒状ランプのそれぞれは、
円筒形状のガラス管と、
前記ガラス管の外壁面に設けられたリフレクタと、
を備え、
前記リフレクタは、前記複数の棒状ランプが上下で重なり合う部位において、前記ガラス管の上側および下側の前記外壁面を開放するように設けられることを特徴とする熱処理装置。
【請求項５】
請求項４記載の熱処理装置において、
前記リフレクタは、前記複数の棒状ランプが上下で重なり合わない部位において、前記ガラス管の上側または下側の前記外壁面を開放するように設けられることを特徴とする熱処理装置。
【請求項６】
請求項３から請求項５のいずれかに記載の熱処理装置において、
前記棒状ランプは、ハロゲンランプであることを特徴とする熱処理装置。
【発明の詳細な説明】
【技術分野】
【０００１】
本発明は、半導体ウェハー等の薄板状精密電子基板（以下、単に「基板」と称する）に光を照射して加熱する棒状ランプおよび当該棒状ランプを備えた熱処理装置に関する。
【背景技術】
【０００２】
半導体デバイスの製造プロセスにおいて、不純物導入は半導体ウェハー内にｐｎ接合を形成するための必須の工程である。現在、不純物導入は、イオン打ち込み法とその後のアニール法によってなされるのが一般的である。イオン打ち込み法は、ボロン（Ｂ）、ヒ素（Ａｓ）、リン（Ｐ）といった不純物の元素をイオン化させて高加速電圧で半導体ウェハーに衝突させて物理的に不純物注入を行う技術である。注入された不純物はアニール処理によって活性化される。この際に、アニール時間が数秒程度以上であると、打ち込まれた不純物が熱によって深く拡散し、その結果接合深さが要求よりも深くなり過ぎて良好なデバイス形成に支障が生じるおそれがある。
【０００３】
そこで、極めて短時間で半導体ウェハーを加熱するアニール技術として、近年フラッシュランプアニール（ＦＬＡ）が注目されている。フラッシュランプアニールは、キセノンフラッシュランプ（以下、単に「フラッシュランプ」とするときにはキセノンフラッシュランプを意味する）を使用して半導体ウェハーの表面にフラッシュ光を照射することにより、不純物が注入された半導体ウェハーの表面のみを極めて短時間（数ミリ秒以下）に昇温させる熱処理技術である。
【０００４】
キセノンフラッシュランプの放射分光分布は紫外域から近赤外域であり、従来のハロゲンランプよりも波長が短く、シリコンの半導体ウェハーの基礎吸収帯とほぼ一致している。よって、キセノンフラッシュランプから半導体ウェハーにフラッシュ光を照射したときには、透過光が少なく半導体ウェハーを急速に昇温することが可能である。また、数ミリ秒以下の極めて短時間のフラッシュ光照射であれば、半導体ウェハーの表面近傍のみを選択的に昇温できることも判明している。このため、キセノンフラッシュランプによる極短時間の昇温であれば、不純物を深く拡散させることなく、不純物活性化のみを実行することができるのである。
【０００５】
このようなキセノンフラッシュランプを使用した熱処理装置として、特許文献１には、半導体ウェハーの表面側にフラッシュランプを配置し、裏面側にハロゲンランプを配置し、それらの組み合わせによって所望の熱処理を行うものが開示されている。特許文献１に開示の熱処理装置においては、ハロゲンランプによって半導体ウェハーをある程度の温度まで予備加熱し、その後フラッシュランプからのパルス加熱によって所望の処理温度にまで昇温している。また、特許文献１に開示の熱処理装置においては、複数のハロゲンランプを格子状に交差するように配列するとともに、出射光の指向性を高めるために各ハロゲンランプの管壁にリフレクタを設けている。
【先行技術文献】
【特許文献】
【０００６】
【特許文献１】特開２０１６−１８１６５６号公報
【発明の概要】
【発明が解決しようとする課題】
【０００７】
しかしながら、ハロゲンランプの外壁面に直接にリフレクタを設けると、ハロゲンランプのガラス管が破損するという問題が生じることがあった。特に、特許文献１に開示されるように、複数のハロゲンランプを上下２段に格子状に交差するように配列した場合には、上下のハロゲンランプの交点にてガラス管が溶融して破損する現象が生じていた。
【０００８】
本発明は、上記課題に鑑みてなされたものであり、ガラス管の破損を防止することができる棒状ランプおよび熱処理装置を提供することを目的とする。
【課題を解決するための手段】
【０００９】
上記課題を解決するため、請求項１の発明は、基板を加熱する棒状ランプにおいて、円筒形状のガラス管と、前記ガラス管の外壁面に設けられたリフレクタと、を備え、前記リフレクタは、前記ガラス管の径方向の一方側および前記一方側とは反対の他方側の前記外壁面を開放するように設けられることを特徴とする。
【００１０】
また、請求項２の発明は、請求項１の発明に係る棒状ランプにおいて、前記リフレクタは、前記ガラス管の上側および下側の前記外壁面を開放するように設けられることを特徴とする。
【００１１】
また、請求項３の発明は、基板に光を照射することによって該基板を加熱する熱処理装置において、基板を収容するチャンバーと、前記チャンバー内にて前記基板を保持する保持部と、前記保持部に保持された前記基板に光を照射する請求項１または請求項２記載の棒状ランプと、を備えることを特徴とする。
【００１２】
また、請求項４の発明は、基板に光を照射することによって該基板を加熱する熱処理装置において、基板を収容するチャンバーと、前記チャンバー内にて前記基板を保持する保持部と、前記チャンバーの上方または下方に設けられ、前記保持部に保持された前記基板に光を照射する複数の棒状ランプと、を備え、前記複数の棒状ランプは、上下２段に格子状に配設され、前記複数の棒状ランプのそれぞれは、円筒形状のガラス管と、前記ガラス管の外壁面に設けられたリフレクタと、を備え、前記リフレクタは、前記複数の棒状ランプが上下で重なり合う部位において、前記ガラス管の上側および下側の前記外壁面を開放するように設けられることを特徴とする。
【００１３】
また、請求項５の発明は、請求項４の発明に係る熱処理装置において、前記リフレクタは、前記複数の棒状ランプが上下で重なり合わない部位において、前記ガラス管の上側または下側の前記外壁面を開放するように設けられることを特徴とする。
【００１４】
また、請求項６の発明は、請求項３から請求項５のいずれかの発明に係る熱処理装置において、前記棒状ランプは、ハロゲンランプであることを特徴とする。
【発明の効果】
【００１５】
請求項１から請求項３の発明によれば、ガラス管の径方向の一方側および当該一方側とは反対の他方側の外壁面を開放するようにリフレクタが設けられるため、ガラス管内で発光した光は一方側および他方側の外壁面から放射されることとなり、ガラス管の破損を防止することができる。
【００１６】
請求項４から請求項６の発明によれば、複数の棒状ランプが上下で重なり合う部位において、ガラス管の上側および下側の外壁面を開放するようにリフレクタが設けられるため、ガラス管内で発光した光は上側および下側の外壁面から放射されることとなり、ガラス管の破損を防止することができる。
【図面の簡単な説明】
【００１７】
【図１】本発明に係る熱処理装置の構成を示す縦断面図である。
【図２】保持部の全体外観を示す斜視図である。
【図３】サセプタの平面図である。
【図４】サセプタの断面図である。
【図５】移載機構の平面図である。
【図６】移載機構の側面図である。
【図７】複数のハロゲンランプの配置を示す平面図である。
【図８】複数のハロゲンランプが上下で重なり合う部位においてハロゲンランプに設けられるリフレクタを示す図である。
【図９】複数のハロゲンランプが上下で重なり合わない部位においてハロゲンランプに設けられるリフレクタを示す図である。
【図１０】広範囲にリフレクタを設けた場合にハロゲンランプの重なり合う部位で生じる現象を示す図である。
【図１１】上下を開放するようにリフレクタを設けた場合にハロゲンランプの重なり合う部位で生じる現象を示す図である。
【発明を実施するための形態】
【００１８】
以下、図面を参照しつつ本発明の実施の形態について詳細に説明する。
【００１９】
図１は、本発明に係る熱処理装置１の構成を示す縦断面図である。図１の熱処理装置１は、基板として円板形状の半導体ウェハーＷに対してフラッシュ光照射を行うことによってその半導体ウェハーＷを加熱するフラッシュランプアニール装置である。処理対象となる半導体ウェハーＷのサイズは特に限定されるものではないが、例えばφ３００ｍｍやφ４５０ｍｍである（本実施形態ではφ３００ｍｍ）。熱処理装置１に搬入される前の半導体ウェハーＷには不純物が注入されており、熱処理装置１による加熱処理によって注入された不純物の活性化処理が実行される。なお、図１および以降の各図においては、理解容易のため、必要に応じて各部の寸法や数を誇張または簡略化して描いている。
【００２０】
熱処理装置１は、半導体ウェハーＷを収容するチャンバー６と、複数のフラッシュランプＦＬを内蔵するフラッシュ加熱部５と、複数のハロゲンランプＨＬを内蔵するハロゲン加熱部４と、を備える。チャンバー６の上側にフラッシュ加熱部５が設けられるとともに、下側にハロゲン加熱部４が設けられている。また、熱処理装置１は、チャンバー６の内部に、半導体ウェハーＷを水平姿勢に保持する保持部７と、保持部７と装置外部との間で半導体ウェハーＷの受け渡しを行う移載機構１０と、を備える。さらに、熱処理装置１は、ハロゲン加熱部４、フラッシュ加熱部５およびチャンバー６に設けられた各動作機構を制御して半導体ウェハーＷの熱処理を実行させる制御部３を備える。
【００２１】
チャンバー６は、筒状のチャンバー側部６１の上下に石英製のチャンバー窓を装着して構成されている。チャンバー側部６１は上下が開口された概略筒形状を有しており、上側開口には上側チャンバー窓６３が装着されて閉塞され、下側開口には下側チャンバー窓６４が装着されて閉塞されている。チャンバー６の天井部を構成する上側チャンバー窓６３は、石英により形成された円板形状部材であり、フラッシュ加熱部５から出射されたフラッシュ光をチャンバー６内に透過する石英窓として機能する。また、チャンバー６の床部を構成する下側チャンバー窓６４も、石英により形成された円板形状部材であり、ハロゲン加熱部４からの光をチャンバー６内に透過する石英窓として機能する。
【００２２】
また、チャンバー側部６１の内側の壁面の上部には反射リング６８が装着され、下部には反射リング６９が装着されている。反射リング６８，６９は、ともに円環状に形成されている。上側の反射リング６８は、チャンバー側部６１の上側から嵌め込むことによって装着される。一方、下側の反射リング６９は、チャンバー側部６１の下側から嵌め込んで図示省略のビスで留めることによって装着される。すなわち、反射リング６８，６９は、ともに着脱自在にチャンバー側部６１に装着されるものである。チャンバー６の内側空間、すなわち上側チャンバー窓６３、下側チャンバー窓６４、チャンバー側部６１および反射リング６８，６９によって囲まれる空間が熱処理空間６５として規定される。
【００２３】
チャンバー側部６１に反射リング６８，６９が装着されることによって、チャンバー６の内壁面に凹部６２が形成される。すなわち、チャンバー側部６１の内壁面のうち反射リング６８，６９が装着されていない中央部分と、反射リング６８の下端面と、反射リング６９の上端面とで囲まれた凹部６２が形成される。凹部６２は、チャンバー６の内壁面に水平方向に沿って円環状に形成され、半導体ウェハーＷを保持する保持部７を囲繞する。チャンバー側部６１および反射リング６８，６９は、強度と耐熱性に優れた金属材料（例えば、ステンレススチール）にて形成されている。
【００２４】
また、チャンバー側部６１には、チャンバー６に対して半導体ウェハーＷの搬入および搬出を行うための搬送開口部（炉口）６６が形設されている。搬送開口部６６は、ゲートバルブ１８５によって開閉可能とされている。搬送開口部６６は凹部６２の外周面に連通接続されている。このため、ゲートバルブ１８５が搬送開口部６６を開放しているときには、搬送開口部６６から凹部６２を通過して熱処理空間６５への半導体ウェハーＷの搬入および熱処理空間６５からの半導体ウェハーＷの搬出を行うことができる。また、ゲートバルブ１８５が搬送開口部６６を閉鎖するとチャンバー６内の熱処理空間６５が密閉空間とされる。
【００２５】
さらに、チャンバー側部６１には、貫通孔６１ａが穿設されている。チャンバー側部６１の外壁面の貫通孔６１ａが設けられている部位には放射温度計２０が取り付けられている。貫通孔６１ａは、後述するサセプタ７４に保持された半導体ウェハーＷの下面から放射された赤外光を放射温度計２０に導くための円筒状の孔である。貫通孔６１ａは、その貫通方向の軸がサセプタ７４に保持された半導体ウェハーＷの主面と交わるように、水平方向に対して傾斜して設けられている。貫通孔６１ａの熱処理空間６５に臨む側の端部には、放射温度計２０が測定可能な波長領域の赤外光を透過させるフッ化バリウム材料からなる透明窓２１が装着されている。
【００２６】
また、チャンバー６の内壁上部には熱処理空間６５に処理ガスを供給するガス供給孔８１が形設されている。ガス供給孔８１は、凹部６２よりも上側位置に形設されており、反射リング６８に設けられていても良い。ガス供給孔８１はチャンバー６の側壁内部に円環状に形成された緩衝空間８２を介してガス供給管８３に連通接続されている。ガス供給管８３は処理ガス供給源８５に接続されている。また、ガス供給管８３の経路途中にはバルブ８４が介挿されている。バルブ８４が開放されると、処理ガス供給源８５から緩衝空間８２に処理ガスが送給される。緩衝空間８２に流入した処理ガスは、ガス供給孔８１よりも流体抵抗の小さい緩衝空間８２内を拡がるように流れてガス供給孔８１から熱処理空間６５内へと供給される。処理ガスとしては、例えば窒素（Ｎ２）等の不活性ガス、または、水素（Ｈ２）、アンモニア（ＮＨ３）等の反応性ガス、或いはそれらを混合した混合ガスを用いることができる（本実施形態では窒素ガス）。
【００２７】
一方、チャンバー６の内壁下部には熱処理空間６５内の気体を排気するガス排気孔８６が形設されている。ガス排気孔８６は、凹部６２よりも下側位置に形設されており、反射リング６９に設けられていても良い。ガス排気孔８６はチャンバー６の側壁内部に円環状に形成された緩衝空間８７を介してガス排気管８８に連通接続されている。ガス排気管８８は排気部１９０に接続されている。また、ガス排気管８８の経路途中にはバルブ８９が介挿されている。バルブ８９が開放されると、熱処理空間６５の気体がガス排気孔８６から緩衝空間８７を経てガス排気管８８へと排出される。なお、ガス供給孔８１およびガス排気孔８６は、チャンバー６の周方向に沿って複数設けられていても良いし、スリット状のものであっても良い。また、処理ガス供給源８５および排気部１９０は、熱処理装置１に設けられた機構であっても良いし、熱処理装置１が設置される工場のユーティリティであっても良い。
【００２８】
また、搬送開口部６６の先端にも熱処理空間６５内の気体を排出するガス排気管１９１が接続されている。ガス排気管１９１はバルブ１９２を介して排気部１９０に接続されている。バルブ１９２を開放することによって、搬送開口部６６を介してチャンバー６内の気体が排気される。
【００２９】
図２は、保持部７の全体外観を示す斜視図である。保持部７は、基台リング７１、連結部７２およびサセプタ７４を備えて構成される。基台リング７１、連結部７２およびサセプタ７４はいずれも石英にて形成されている。すなわち、保持部７の全体が石英にて形成されている。
【００３０】
基台リング７１は円環形状から一部が欠落した円弧形状の石英部材である。この欠落部分は、後述する移載機構１０の移載アーム１１と基台リング７１との干渉を防ぐために設けられている。基台リング７１は凹部６２の底面に載置されることによって、チャンバー６の壁面に支持されることとなる（図１参照）。基台リング７１の上面に、その円環形状の周方向に沿って複数の連結部７２（本実施形態では４個）が立設される。連結部７２も石英の部材であり、溶接によって基台リング７１に固着される。
【００３１】
サセプタ７４は基台リング７１に設けられた４個の連結部７２によって支持される。図３は、サセプタ７４の平面図である。また、図４は、サセプタ７４の断面図である。サセプタ７４は、保持プレート７５、ガイドリング７６および複数の基板支持ピン７７を備える。保持プレート７５は、石英にて形成された略円形の平板状部材である。保持プレート７５の直径は半導体ウェハーＷの直径よりも大きい。すなわち、保持プレート７５は、半導体ウェハーＷよりも大きな平面サイズを有する。
【００３２】
保持プレート７５の上面周縁部にガイドリング７６が設置されている。ガイドリング７６は、半導体ウェハーＷの直径よりも大きな内径を有する円環形状の部材である。例えば、半導体ウェハーＷの直径がφ３００ｍｍの場合、ガイドリング７６の内径はφ３２０ｍｍである。ガイドリング７６の内周は、保持プレート７５から上方に向けて広くなるようなテーパ面とされている。ガイドリング７６は、保持プレート７５と同様の石英にて形成される。ガイドリング７６は、保持プレート７５の上面に溶着するようにしても良いし、別途加工したピンなどによって保持プレート７５に固定するようにしても良い。或いは、保持プレート７５とガイドリング７６とを一体の部材として加工するようにしても良い。
【００３３】
保持プレート７５の上面のうちガイドリング７６よりも内側の領域が半導体ウェハーＷを保持する平面状の保持面７５ａとされる。保持プレート７５の保持面７５ａには、複数の基板支持ピン７７が立設されている。本実施形態においては、保持面７５ａの外周円（ガイドリング７６の内周円）と同心円の周上に沿って３０°毎に計１２個の基板支持ピン７７が立設されている。１２個の基板支持ピン７７を配置した円の径（対向する基板支持ピン７７間の距離）は半導体ウェハーＷの径よりも小さく、半導体ウェハーＷの径がφ３００ｍｍであればφ２７０ｍｍ〜φ２８０ｍｍ（本実施形態ではφ２７０ｍｍ）である。それぞれの基板支持ピン７７は石英にて形成されている。複数の基板支持ピン７７は、保持プレート７５の上面に溶接によって設けるようにしても良いし、保持プレート７５と一体に加工するようにしても良い。
【００３４】
図２に戻り、基台リング７１に立設された４個の連結部７２とサセプタ７４の保持プレート７５の周縁部とが溶接によって固着される。すなわち、サセプタ７４と基台リング７１とは連結部７２によって固定的に連結されている。このような保持部７の基台リング７１がチャンバー６の壁面に支持されることによって、保持部７がチャンバー６に装着される。保持部７がチャンバー６に装着された状態においては、サセプタ７４の保持プレート７５は水平姿勢（法線が鉛直方向と一致する姿勢）となる。すなわち、保持プレート７５の保持面７５ａは水平面となる。
【００３５】
チャンバー６に搬入された半導体ウェハーＷは、チャンバー６に装着された保持部７のサセプタ７４の上に水平姿勢にて載置されて保持される。このとき、半導体ウェハーＷは保持プレート７５上に立設された１２個の基板支持ピン７７によって支持されてサセプタ７４に保持される。より厳密には、１２個の基板支持ピン７７の上端部が半導体ウェハーＷの下面に接触して当該半導体ウェハーＷを支持する。１２個の基板支持ピン７７の高さ（基板支持ピン７７の上端から保持プレート７５の保持面７５ａまでの距離）は均一であるため、１２個の基板支持ピン７７によって半導体ウェハーＷを水平姿勢に支持することができる。
【００３６】
また、半導体ウェハーＷは複数の基板支持ピン７７によって保持プレート７５の保持面７５ａから所定の間隔を隔てて支持されることとなる。基板支持ピン７７の高さよりもガイドリング７６の厚さの方が大きい。従って、複数の基板支持ピン７７によって支持された半導体ウェハーＷの水平方向の位置ずれはガイドリング７６によって防止される。
【００３７】
また、図２および図３に示すように、サセプタ７４の保持プレート７５には、上下に貫通して開口部７８が形成されている。開口部７８は、放射温度計２０が半導体ウェハーＷの下面から放射される放射光（赤外光）を受光するために設けられている。すなわち、放射温度計２０が開口部７８およびチャンバー側部６１の貫通孔６１ａに装着された透明窓２１を介して半導体ウェハーＷの下面から放射された光を受光して当該半導体ウェハーＷの温度を測定する。さらに、サセプタ７４の保持プレート７５には、後述する移載機構１０のリフトピン１２が半導体ウェハーＷの受け渡しのために貫通する４個の貫通孔７９が穿設されている。
【００３８】
図５は、移載機構１０の平面図である。また、図６は、移載機構１０の側面図である。移載機構１０は、２本の移載アーム１１を備える。移載アーム１１は、概ね円環状の凹部６２に沿うような円弧形状とされている。それぞれの移載アーム１１には２本のリフトピン１２が立設されている。移載アーム１１およびリフトピン１２は石英にて形成されている。各移載アーム１１は水平移動機構１３によって回動可能とされている。水平移動機構１３は、一対の移載アーム１１を保持部７に対して半導体ウェハーＷの移載を行う移載動作位置（図５の実線位置）と保持部７に保持された半導体ウェハーＷと平面視で重ならない退避位置（図５の二点鎖線位置）との間で水平移動させる。水平移動機構１３としては、個別のモータによって各移載アーム１１をそれぞれ回動させるものであっても良いし、リンク機構を用いて１個のモータによって一対の移載アーム１１を連動させて回動させるものであっても良い。
【００３９】
また、一対の移載アーム１１は、昇降機構１４によって水平移動機構１３とともに昇降移動される。昇降機構１４が一対の移載アーム１１を移載動作位置にて上昇させると、計４本のリフトピン１２がサセプタ７４に穿設された貫通孔７９（図２，３参照）を通過し、リフトピン１２の上端がサセプタ７４の上面から突き出る。一方、昇降機構１４が一対の移載アーム１１を移載動作位置にて下降させてリフトピン１２を貫通孔７９から抜き取り、水平移動機構１３が一対の移載アーム１１を開くように移動させると各移載アーム１１が退避位置に移動する。一対の移載アーム１１の退避位置は、保持部７の基台リング７１の直上である。基台リング７１は凹部６２の底面に載置されているため、移載アーム１１の退避位置は凹部６２の内側となる。なお、移載機構１０の駆動部（水平移動機構１３および昇降機構１４）が設けられている部位の近傍にも図示省略の排気機構が設けられており、移載機構１０の駆動部周辺の雰囲気がチャンバー６の外部に排出されるように構成されている。
【００４０】
図１に戻り、チャンバー６の上方に設けられたフラッシュ加熱部５は、筐体５１の内側に、複数本（本実施形態では３０本）のキセノンフラッシュランプＦＬからなる光源と、その光源の上方を覆うように設けられたリフレクタ５２と、を備えて構成される。また、フラッシュ加熱部５の筐体５１の底部にはランプ光放射窓５３が装着されている。フラッシュ加熱部５の床部を構成するランプ光放射窓５３は、石英により形成された板状の石英窓である。フラッシュ加熱部５がチャンバー６の上方に設置されることにより、ランプ光放射窓５３が上側チャンバー窓６３と相対向することとなる。フラッシュランプＦＬはチャンバー６の上方からランプ光放射窓５３および上側チャンバー窓６３を介して熱処理空間６５にフラッシュ光を照射する。
【００４１】
複数のフラッシュランプＦＬは、それぞれが長尺の円筒形状を有する棒状ランプであり、それぞれの長手方向が保持部７に保持される半導体ウェハーＷの主面に沿って（つまり水平方向に沿って）互いに平行となるように平面状に配列されている。よって、フラッシュランプＦＬの配列によって形成される平面も水平面である。複数のフラッシュランプＦＬが配列される領域は半導体ウェハーＷの平面サイズよりも大きい。
【００４２】
キセノンフラッシュランプＦＬは、その内部にキセノンガスが封入されその両端部にコンデンサーに接続された陽極および陰極が配設された円筒形状のガラス管（放電管）と、該ガラス管の外周面上に付設されたトリガー電極とを備える。キセノンガスは電気的には絶縁体であることから、コンデンサーに電荷が蓄積されていたとしても通常の状態ではガラス管内に電気は流れない。しかしながら、トリガー電極に高電圧を印加して絶縁を破壊した場合には、コンデンサーに蓄えられた電気がガラス管内に瞬時に流れ、そのときのキセノンの原子あるいは分子の励起によって光が放出される。このようなキセノンフラッシュランプＦＬにおいては、予めコンデンサーに蓄えられていた静電エネルギーが０．１ミリセカンドないし１００ミリセカンドという極めて短い光パルスに変換されることから、ハロゲンランプＨＬの如き連続点灯の光源に比べて極めて強い光を照射し得るという特徴を有する。すなわち、フラッシュランプＦＬは、１秒未満の極めて短い時間で瞬間的に発光するパルス発光ランプである。なお、フラッシュランプＦＬの発光時間は、フラッシュランプＦＬに電力供給を行うランプ電源のコイル定数によって調整することができる。
【００４３】
また、リフレクタ５２は、複数のフラッシュランプＦＬの上方にそれら全体を覆うように設けられている。リフレクタ５２の基本的な機能は、複数のフラッシュランプＦＬから出射されたフラッシュ光を熱処理空間６５の側に反射するというものである。リフレクタ５２はアルミニウム合金板にて形成されており、その表面（フラッシュランプＦＬに臨む側の面）はブラスト処理により粗面化加工が施されている。
【００４４】
チャンバー６の下方に設けられたハロゲン加熱部４は、筐体４１の内側に複数本（本実施形態では４０本）のハロゲンランプＨＬを内蔵している。ハロゲン加熱部４は、複数のハロゲンランプＨＬによってチャンバー６の下方から下側チャンバー窓６４を介して熱処理空間６５への光照射を行って半導体ウェハーＷを加熱する光照射部である。
【００４５】
図７は、複数のハロゲンランプＨＬの配置を示す平面図である。４０本のハロゲンランプＨＬは上下２段に分けて配置されている。保持部７に近い上段に２０本のハロゲンランプＨＬが配設されるとともに、上段よりも保持部７から遠い下段にも２０本のハロゲンランプＨＬが配設されている。各ハロゲンランプＨＬは、長尺の円筒形状を有する棒状ランプである。上段、下段ともに２０本のハロゲンランプＨＬは、それぞれの長手方向が保持部７に保持される半導体ウェハーＷの主面に沿って（つまり水平方向に沿って）互いに平行となるように配列されている。よって、上段、下段ともにハロゲンランプＨＬの配列によって形成される平面は水平面である。
【００４６】
また、図７に示すように、上段、下段ともに保持部７に保持される半導体ウェハーＷの中央部に対向する領域よりも周縁部に対向する領域におけるハロゲンランプＨＬの配設密度が高くなっている。すなわち、上下段ともに、ランプ配列の中央部よりも周縁部の方がハロゲンランプＨＬの配設ピッチが短い。このため、ハロゲン加熱部４からの光照射による加熱時に温度低下が生じやすい半導体ウェハーＷの周縁部により多い光量の照射を行うことができる。
【００４７】
また、上段のハロゲンランプＨＬからなるランプ群と下段のハロゲンランプＨＬからなるランプ群とが格子状に交差するように配列されている。すなわち、上段に配置された２０本のハロゲンランプＨＬの長手方向と下段に配置された２０本のハロゲンランプＨＬの長手方向とが互いに直交するように計４０本のハロゲンランプＨＬが配設されている。
【００４８】
ハロゲンランプＨＬは、円筒形状のガラス管内部に配設されたフィラメントに通電することでフィラメントを白熱化させて発光させるフィラメント方式の光源である。ガラス管の内部には、窒素やアルゴン等の不活性ガスにハロゲン元素（ヨウ素、臭素等）を微量導入した気体が封入されている。ハロゲン元素を導入することによって、フィラメントの折損を抑制しつつフィラメントの温度を高温に設定することが可能となる。したがって、ハロゲンランプＨＬは、通常の白熱電球に比べて寿命が長くかつ強い光を連続的に照射できるという特性を有する。すなわち、ハロゲンランプＨＬは少なくとも１秒以上連続して発光する連続点灯ランプである。また、ハロゲンランプＨＬは棒状ランプであるため長寿命であり、ハロゲンランプＨＬを水平方向に沿わせて配置することにより上方の半導体ウェハーＷへの放射効率が優れたものとなる。
【００４９】
また、ハロゲン加熱部４の筐体４１内にも、２段のハロゲンランプＨＬの下側にリフレクタ４３が設けられている（図１）。リフレクタ４３は、複数のハロゲンランプＨＬから出射された光を熱処理空間６５の側に反射する。
【００５０】
ハロゲン加熱部４全体のリフレクタ４３に加えて、複数のハロゲンランプＨＬのそれぞれにも個別にリフレクタが設けられている。図８および図９は、棒状のハロゲンランプＨＬを長手方向と垂直な方向で切断した断面図である。図８と図９とは、ハロゲンランプＨＬの切断位置が異なる。ハロゲンランプＨＬの円筒形状のガラス管４８の中心部にはフィラメント４９が配設されている。また、ガラス管４８の外壁面には出射光の指向性を高めるためのリフレクタ４７が設けられている。リフレクタ４７は、ハロゲンランプＨＬのガラス管４８の外壁面にセラミックス系の溶剤を塗布し、その塗膜を乾燥させて形成される。各ハロゲンランプＨＬに設けるリフレクタ４７の形態は、４０本のハロゲンランプＨＬの配列においてハロゲンランプＨＬが上下で重なり合う部位とそれ以外の部位とで相違する。
【００５１】
図８は、複数のハロゲンランプＨＬが上下で重なり合う部位においてハロゲンランプＨＬに設けられるリフレクタを示す図である。複数のハロゲンランプＨＬが上下で重なり合う部位とは、例えば図７の符合Ａで示す上段のハロゲンランプＨＬと下段のハロゲンランプＨＬとが交差する部位である。本実施形態においては、複数のハロゲンランプＨＬが上下２段に格子状に交差するように配列されているため、図７の符合Ａで示すようなハロゲンランプＨＬが上下で重なり合う部位が複数箇所生じることとなる。そのような複数のハロゲンランプＨＬが上下で重なり合う部位については、図８に示すように、上下段ともにハロゲンランプＨＬのガラス管４８の上側および下側の外壁面を開放するようにリフレクタ４７が設けられる。具体的には、ガラス管４８の中心（フィラメント４９の位置）から見たガラス管４８の両側方の外壁面の９０°の範囲を覆うようにリフレクタ４７が設けられる。その結果、ガラス管４８の中心から見たガラス管４８の上側および下側のそれぞれの外壁面の９０°の範囲が開放されることとなる。
【００５２】
一方、図９は、複数のハロゲンランプＨＬが上下で重なり合わない部位においてハロゲンランプＨＬに設けられるリフレクタを示す図である。複数のハロゲンランプＨＬが上下で重なり合わない部位とは、図７の符合Ａで示すようなハロゲンランプＨＬが上下で重なり合う部位を除くハロゲンランプＨＬの領域である。複数のハロゲンランプＨＬが上下で重なり合わない部位については、図９に示すように、ハロゲンランプＨＬのガラス管４８の上側の外壁面のみを開放するようにリフレクタ４７が設けられる。具体的には、ガラス管４８の中心から見てガラス管４８の左側方から下側を経て右側方にわたる外壁面の２７０°の範囲を覆うようにリフレクタ４７が設けられる。その結果、ガラス管４８の中心から見たガラス管４８の上側の外壁面の９０°の範囲が開放されることとなる。
【００５３】
制御部３は、熱処理装置１に設けられた上記の種々の動作機構を制御する。制御部３のハードウェアとしての構成は一般的なコンピュータと同様である。すなわち、制御部３は、各種演算処理を行う回路であるＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えている。制御部３のＣＰＵが所定の処理プログラムを実行することによって熱処理装置１における処理が進行する。
【００５４】
上記の構成以外にも熱処理装置１は、半導体ウェハーＷの熱処理時にハロゲンランプＨＬおよびフラッシュランプＦＬから発生する熱エネルギーによるハロゲン加熱部４、フラッシュ加熱部５およびチャンバー６の過剰な温度上昇を防止するため、様々な冷却用の構造を備えている。例えば、チャンバー６の壁体には水冷管（図示省略）が設けられている。また、ハロゲン加熱部４およびフラッシュ加熱部５は、内部に気体流を形成して排熱する空冷構造とされている。また、上側チャンバー窓６３とランプ光放射窓５３との間隙にも空気が供給され、フラッシュ加熱部５および上側チャンバー窓６３を冷却する。
【００５５】
次に、熱処理装置１における半導体ウェハーＷの処理手順について説明する。ここで処理対象となる半導体ウェハーＷはイオン注入法により不純物（イオン）が添加された半導体基板である。その不純物の活性化が熱処理装置１によるフラッシュ光照射加熱処理（アニール）により実行される。以下に説明する熱処理装置１の処理手順は、制御部３が熱処理装置１の各動作機構を制御することにより進行する。
【００５６】
まず、給気のためのバルブ８４が開放されるとともに、排気用のバルブ８９，１９２が開放されてチャンバー６内に対する給排気が開始される。バルブ８４が開放されると、ガス供給孔８１から熱処理空間６５に窒素ガスが供給される。また、バルブ８９が開放されると、ガス排気孔８６からチャンバー６内の気体が排気される。これにより、チャンバー６内の熱処理空間６５の上部から供給された窒素ガスが下方へと流れ、熱処理空間６５の下部から排気される。
【００５７】
また、バルブ１９２が開放されることによって、搬送開口部６６からもチャンバー６内の気体が排気される。さらに、図示省略の排気機構によって移載機構１０の駆動部周辺の雰囲気も排気される。なお、熱処理装置１における半導体ウェハーＷの熱処理時には窒素ガスが熱処理空間６５に継続的に供給されており、その供給量は処理工程に応じて適宜変更される。
【００５８】
続いて、ゲートバルブ１８５が開いて搬送開口部６６が開放され、装置外部の搬送ロボットにより搬送開口部６６を介してイオン注入後の半導体ウェハーＷがチャンバー６内の熱処理空間６５に搬入される。このときには、半導体ウェハーＷの搬入にともなって装置外部の雰囲気を巻き込むおそれがあるが、チャンバー６には窒素ガスが供給され続けているため、搬送開口部６６から窒素ガスが流出して、そのような外部雰囲気の巻き込みを最小限に抑制することができる。
【００５９】
搬送ロボットによって搬入された半導体ウェハーＷは保持部７の直上位置まで進出して停止する。そして、移載機構１０の一対の移載アーム１１が退避位置から移載動作位置に水平移動して上昇することにより、リフトピン１２が貫通孔７９を通ってサセプタ７４の保持プレート７５の上面から突き出て半導体ウェハーＷを受け取る。このとき、リフトピン１２は基板支持ピン７７の上端よりも上方にまで上昇する。
【００６０】
半導体ウェハーＷがリフトピン１２に載置された後、搬送ロボットが熱処理空間６５から退出し、ゲートバルブ１８５によって搬送開口部６６が閉鎖される。そして、一対の移載アーム１１が下降することにより、半導体ウェハーＷは移載機構１０から保持部７のサセプタ７４に受け渡されて水平姿勢にて下方より保持される。半導体ウェハーＷは、保持プレート７５上に立設された複数の基板支持ピン７７によって支持されてサセプタ７４に保持される。また、半導体ウェハーＷは、パターン形成がなされて不純物が注入された表面を上面として保持部７に保持される。複数の基板支持ピン７７によって支持された半導体ウェハーＷの裏面（表面とは反対側の主面）と保持プレート７５の保持面７５ａとの間には所定の間隔が形成される。サセプタ７４の下方にまで下降した一対の移載アーム１１は水平移動機構１３によって退避位置、すなわち凹部６２の内側に退避する。
【００６１】
半導体ウェハーＷが石英にて形成された保持部７のサセプタ７４によって水平姿勢にて下方より保持された後、ハロゲン加熱部４の４０本のハロゲンランプＨＬが一斉に点灯して予備加熱（アシスト加熱）が開始される。ハロゲンランプＨＬから出射されたハロゲン光は、石英にて形成された下側チャンバー窓６４およびサセプタ７４を透過して半導体ウェハーＷの下面に照射される。ハロゲンランプＨＬからの光照射を受けることによって半導体ウェハーＷが予備加熱されて温度が上昇する。なお、移載機構１０の移載アーム１１は凹部６２の内側に退避しているため、ハロゲンランプＨＬによる加熱の障害となることは無い。
【００６２】
ハロゲンランプＨＬによる予備加熱を行うときには、半導体ウェハーＷの温度が放射温度計２０によって測定されている。すなわち、サセプタ７４に保持された半導体ウェハーＷの下面から開口部７８を介して放射された赤外光を透明窓２１を通して放射温度計２０が受光して昇温中のウェハー温度を測定する。測定された半導体ウェハーＷの温度は制御部３に伝達される。制御部３は、ハロゲンランプＨＬからの光照射によって昇温する半導体ウェハーＷの温度が所定の予備加熱温度Ｔ１に到達したか否かを監視しつつ、ハロゲンランプＨＬの出力を制御する。すなわち、制御部３は、放射温度計２０による測定値に基づいて、半導体ウェハーＷの温度が予備加熱温度Ｔ１となるようにハロゲンランプＨＬの出力をフィードバック制御する。予備加熱温度Ｔ１は、半導体ウェハーＷに添加された不純物が熱により拡散する恐れのない、２００℃ないし８００℃程度、好ましくは３５０℃ないし６００℃程度とされる（本実施の形態では６００℃）。
【００６３】
半導体ウェハーＷの温度が予備加熱温度Ｔ１に到達した後、制御部３は半導体ウェハーＷをその予備加熱温度Ｔ１に暫時維持する。具体的には、放射温度計２０によって測定される半導体ウェハーＷの温度が予備加熱温度Ｔ１に到達した時点にて制御部３がハロゲンランプＨＬの出力を調整し、半導体ウェハーＷの温度をほぼ予備加熱温度Ｔ１に維持している。
【００６４】
このようなハロゲンランプＨＬによる予備加熱を行うことによって、半導体ウェハーＷの全体を予備加熱温度Ｔ１に均一に昇温している。ハロゲンランプＨＬによる予備加熱の段階においては、より放熱が生じやすい半導体ウェハーＷの周縁部の温度が中央部よりも低下する傾向にあるが、ハロゲン加熱部４におけるハロゲンランプＨＬの配設密度は、基板Ｗの中央部に対向する領域よりも周縁部に対向する領域の方が高くなっている。このため、放熱が生じやすい半導体ウェハーＷの周縁部に照射される光量が多くなり、予備加熱段階における半導体ウェハーＷの面内温度分布を均一なものとすることができる。
【００６５】
また、ハロゲンランプＨＬから出射された光の指向性を高めるために、ハロゲンランプＨＬのガラス管４８の外壁面にリフレクタ４７を設けている。ここで、仮に、ガラス管４８の全体にわたって図９に示す如く側方から下側の２７０°の範囲を覆うようにリフレクタ４７を設けていたとすると、以下のような不具合が生じる。図１０は、広範囲にリフレクタ４７を設けた場合にハロゲンランプＨＬの重なり合う部位で生じる現象を示す図である。
【００６６】
ガラス管４８の左側方から下側を経て右側方にわたる外壁面の２７０°の範囲を覆うようにリフレクタ４７が設けられていると、開放されているのはガラス管４８の上側の外壁面の９０°の範囲のみとなる。よって、下段のハロゲンランプＨＬのフィラメント４９から放射された光は、ガラス管４８の上側の開放部分のみから出射されることとなる。
【００６７】
ところが、ガラス管４８の側方から下側の２７０°の範囲を覆うようにリフレクタ４７が設けられていた場合、ハロゲンランプＨＬが上下で重なり合う部位では、下段のハロゲンランプＨＬの直上に上段のハロゲンランプＨＬのリフレクタ４７が存在している。このため、下段のハロゲンランプＨＬから上側に向けて出射された光が上段のハロゲンランプＨＬのリフレクタ４７によって下側に向けて反射され、再び下段のハロゲンランプＨＬのガラス管４８内に入射することとなる。その結果、下段のハロゲンランプＨＬから出射された光はチャンバー６に向かうことができずに下段のガラス管４８内で多重反射を繰り返すこととなり、フィラメント４９を押さえているサポートリング（図示省略）が異常加熱される。当該サポートリングが過度に加熱されるとガラス管４８が溶融して破損し、ガラス管４８内に大気が流入してフィラメント４９も破損することとなる。
【００６８】
そこで、本実施形態においては、複数のハロゲンランプＨＬが上下で重なり合う部位については、図８に示すように、上下段ともにハロゲンランプＨＬのガラス管４８の上側および下側の外壁面を開放するようにリフレクタ４７が設けられる。図１１は、上下を開放するようにリフレクタ４７を設けた場合にハロゲンランプＨＬの重なり合う部位で生じる現象を示す図である。なお、図１０は上段のハロゲンランプＨＬの断面を示していたのに対して、図１１は上段のハロゲンランプＨＬの側面を示している。
【００６９】
ガラス管４８の両側方の外壁面の９０°の範囲を覆うようにリフレクタ４７が設けられていると、ガラス管４８の上側および下側のそれぞれの外壁面の９０°の範囲が開放されることとなる（図８）。上下段ともにガラス管４８の上側および下側のそれぞれの外壁面の９０°の範囲が開放されていると、下段のハロゲンランプＨＬのフィラメント４９から放射された光は、ガラス管４８の上側および下側の双方の開放部分から出射される。
【００７０】
また、複数のハロゲンランプＨＬが上下で重なり合う部位においては、上段のハロゲンランプＨＬもガラス管４８の上側および下側のそれぞれの外壁面の９０°の範囲が開放されている。従って、下段のハロゲンランプＨＬから上側に向けて出射された光は、上段のハロゲンランプＨＬのガラス管４８の下側および上側の外壁面の開放部分を透過して下側チャンバー窓６４からチャンバー６内に入射することとなる。その結果、下段のハロゲンランプＨＬから出射された光が下段のガラス管４８に戻って多重反射を繰り替えすという不具合を回避することができ、サポートリングの異常加熱に起因したガラス管４８の破損を防止することができる。
【００７１】
一方、図１１に示すように、複数のハロゲンランプＨＬが上下で重なり合わない部位においては、ガラス管４８の左側方から下側を経て右側方にわたる外壁面の２７０°の範囲を覆うようにリフレクタ４７が設けられる。複数のハロゲンランプＨＬが上下で重なり合わない部位においては、下段のハロゲンランプＨＬから上側に向けて出射された光がそのまま下側チャンバー窓６４からチャンバー６内に入射することとなり、上述したような不具合は生じない。このようなリフレクタ４７を設けることによって、複数のハロゲンランプＨＬから出射された光の指向性が高まり、予備加熱段階における半導体ウェハーＷの面内温度分布をより均一なものとすることができる。
【００７２】
半導体ウェハーＷの温度が予備加熱温度Ｔ１に到達して所定時間が経過した時点にてフラッシュ加熱部５のフラッシュランプＦＬがサセプタ７４に保持された半導体ウェハーＷの表面にフラッシュ光照射を行う。このとき、フラッシュランプＦＬから放射されるフラッシュ光の一部は直接にチャンバー６内へと向かい、他の一部は一旦リフレクタ５２により反射されてからチャンバー６内へと向かい、これらのフラッシュ光の照射により半導体ウェハーＷのフラッシュ加熱が行われる。
【００７３】
フラッシュ加熱は、フラッシュランプＦＬからのフラッシュ光（閃光）照射により行われるため、半導体ウェハーＷの表面温度を短時間で上昇することができる。すなわち、フラッシュランプＦＬから照射されるフラッシュ光は、予めコンデンサーに蓄えられていた静電エネルギーが極めて短い光パルスに変換された、照射時間が０．１ミリセカンド以上１００ミリセカンド以下程度の極めて短く強い閃光である。そして、フラッシュランプＦＬからのフラッシュ光照射によりフラッシュ加熱される半導体ウェハーＷの表面温度は、瞬間的に１０００℃以上の処理温度Ｔ２まで上昇し、半導体ウェハーＷに注入された不純物が活性化された後、表面温度が急速に下降する。このように、熱処理装置１では、半導体ウェハーＷの表面温度を極めて短時間で昇降することができるため、半導体ウェハーＷに注入された不純物の熱による拡散を抑制しつつ不純物の活性化を行うことができる。なお、不純物の活性化に必要な時間はその熱拡散に必要な時間に比較して極めて短いため、０．１ミリセカンドないし１００ミリセカンド程度の拡散が生じない短時間であっても活性化は完了する。
【００７４】
フラッシュ加熱処理が終了した後、所定時間経過後にハロゲンランプＨＬが消灯する。これにより、半導体ウェハーＷが予備加熱温度Ｔ１から急速に降温する。降温中の半導体ウェハーＷの温度は放射温度計２０によって測定され、その測定結果は制御部３に伝達される。制御部３は、放射温度計２０の測定結果より半導体ウェハーＷの温度が所定温度まで降温したか否かを監視する。そして、半導体ウェハーＷの温度が所定以下にまで降温した後、移載機構１０の一対の移載アーム１１が再び退避位置から移載動作位置に水平移動して上昇することにより、リフトピン１２がサセプタ７４の上面から突き出て熱処理後の半導体ウェハーＷをサセプタ７４から受け取る。続いて、ゲートバルブ１８５により閉鎖されていた搬送開口部６６が開放され、リフトピン１２上に載置された半導体ウェハーＷが装置外部の搬送ロボットにより搬出され、熱処理装置１における半導体ウェハーＷの加熱処理が完了する。
【００７５】
本実施形態においては、複数のハロゲンランプＨＬが上下で重なり合う部位ではハロゲンランプＨＬのガラス管４８の上側および下側の外壁面を開放するようにリフレクタ４７が設けられる。従って、下段のハロゲンランプＨＬから上側に向けて出射された光は、上段のハロゲンランプＨＬのガラス管４８の下側および上側の外壁面の開放部分を透過してさらに上方へと向かうため、下段のハロゲンランプＨＬのガラス管４８内に再入射することは防がれる。その結果、サポートリングの異常加熱に起因したガラス管４８の破損を防止することができる。
【００７６】
以上、本発明の実施の形態について説明したが、この発明はその趣旨を逸脱しない限りにおいて上述したもの以外に種々の変更を行うことが可能である。例えば、複数のハロゲンランプＨＬが上下で重なり合わない部位においても、ハロゲンランプＨＬのガラス管４８の上側および下側の外壁面を開放するようにリフレクタ４７を設けるようにしても良い。フィラメント４９から放射される光のエネルギー密度が高い場合には、図９に示す如くガラス管４８の左側方から下側を経て右側方にわたる外壁面の２７０°の範囲を覆うようにリフレクタ４７が設けられていると、上側にハロゲンランプＨＬが存在していなくてもガラス管４８がサポートリングの異常加熱によってガラス管４８が破損するおそれがある。このような場合には、複数のハロゲンランプＨＬが上下で重なり合わない部位においても、ハロゲンランプＨＬのガラス管４８の上側および下側の外壁面を開放するようにリフレクタ４７を設けることにより、フィラメント４９から放射された光がガラス管４８の上側および下側の双方の開放部分から出射されてガラス管４８の破損を防止することができる。
【００７７】
また、上記実施形態においては、ガラス管４８の上側および下側のそれぞれの外壁面の９０°の範囲が開放されるようにリフレクタ４７が設けられていたが、この開放範囲の角度は９０°に限定されるものではない。ガラス管４８の上側および下側のそれぞれの外壁面の開放範囲の角度が小さくなるほど、出射光の指向性が高まるものの、出射範囲が狭くなってガラス管４８が破損するリスクも高まる。逆に、ガラス管４８の上側および下側のそれぞれの外壁面の開放範囲の角度が大きくなるほど、ガラス管４８の破損リスクは低くなるものの、出射光の指向性も低くなる。
【００７８】
また、上記実施形態においては、フラッシュ加熱部５に３０本のフラッシュランプＦＬを備えるようにしていたが、これに限定されるものではなく、フラッシュランプＦＬの本数は任意の数とすることができる。また、フラッシュランプＦＬはキセノンフラッシュランプに限定されるものではなく、クリプトンフラッシュランプであっても良い。
【００７９】
また、ハロゲン加熱部４に備えるハロゲンランプＨＬの本数も４０本に限定されるものではなく、任意の数とすることができる。さらに、複数のハロゲンランプＨＬは上下２段に配設されることに限定されるものではなく、１段に平面状に配列されていても良い。複数のハロゲンランプＨＬを１段に配列した場合には、ハロゲンランプＨＬが上下で重なり合う部位は存在しないのであるが、上述したようなフィラメント４９から高エネルギー密度の光を放射することによるガラス管４８の破損を防止するために、ハロゲンランプＨＬのガラス管４８の上側および下側の外壁面を開放するようにリフレクタ４７を設けるようにしても良い。
【００８０】
また、フラッシュ加熱部５のフラッシュランプＦＬについて、上記実施形態と同様に、ガラス管の上側および下側の外壁面を開放するようにリフレクタを設けるようにしても良い。フラッシュランプＦＬのガラス管に上記実施形態と同様のリフレクタを設けることによって、フラッシュ光の指向性を高めつつガラス管の破損を防止することができる。
【００８１】
また、本発明に係る熱処理装置によって処理対象となる基板は半導体ウェハーに限定されるものではなく、液晶表示装置などのフラットパネルディスプレイに用いるガラス基板や太陽電池用の基板であっても良い。また、本発明に係る技術は、高誘電率ゲート絶縁膜（High-k膜）の熱処理、金属とシリコンとの接合、或いはポリシリコンの結晶化に適用するようにしても良い。
【００８２】
また、本発明に係る技術は、フラッシュランプアニール装置に限定されるものではなく、ハロゲンランプを使用した枚葉式のランプアニール装置やＣＶＤ装置に適用することも可能である。このようなランプアニール装置においては、チャンバーの上方に上記実施形態と同様の複数のハロゲンランプが配設されていても良い。チャンバーの上方に複数のハロゲンランプが配設された場合には、ハロゲンランプＨＬが上下で重なり合わない部位については、ハロゲンランプＨＬのガラス管４８の下側の外壁面のみを開放するようにリフレクタ４７が設けられる。
【００８３】
さらに、ハロゲンランプＨＬの設置形態によっては、必ずしもガラス管４８の上側および下側の外壁面を開放するようにリフレクタ４７を設ける必要はなく、ガラス管４８の径方向の一方側およびそれとは反対の他方側の外壁面を開放するようにリフレクタ４７を設けるようにしても良い。
【００８４】
また、上記実施形態と同様のリフレクタ４７を例えばアークランプ等の他の種類のランプに設けるようにしても良い。
【符号の説明】
【００８５】
１  熱処理装置
３  制御部
４  ハロゲン加熱部
５  フラッシュ加熱部
６  チャンバー
７  保持部
１０  移載機構
４７  リフレクタ
４８  ガラス管
４９  フィラメント
６５  熱処理空間
７４  サセプタ
７５  保持プレート
７７  基板支持ピン
ＦＬ  フラッシュランプ
ＨＬ  ハロゲンランプ
Ｗ  半導体ウェハー
【図１】
2018186122.tif 000003
【図２】
2018186122.tif 000004
【図３】
2018186122.tif 000005
【図４】
2018186122.tif 000006
【図５】
2018186122.tif 000007
【図６】
2018186122.tif 000008
【図７】
2018186122.tif 000009
【図８】
2018186122.tif 000010
【図９】
2018186122.tif 000011
【図１０】
2018186122.tif 000012
【図１１】
2018186122.tif 000013